(57)【要約】【課題】  透明導電膜を成膜した板ガラス２枚を用いて作製される複層ガラス構造の電磁遮蔽ガラスにおいて、透明導電膜のアースをするために、２枚のガラス板に形成された透明導電膜を互いに導通する必要がある。【解決手段】  １枚の板ガラスに形成された透明導電膜と他の板ガラスに形成された透明導電膜とを、空気層とは反対側のスペーサー面に配される導通材で導通し、導通材に導電性テープあるいは断面がＣ字状またはコ字状の弾性体金属板を用いる。【選択図】  図１
2005112680.tif 000002
【特許請求の範囲】
【請求項１】
透明導電膜が成膜された２枚の板ガラスを、スペーサーを用いて所定の間隔に対向配置して空気層を形成し、該透明導電膜は空気層側に位置させた複層ガラスでなる電磁遮蔽ガラスにおいて、一枚の板ガラスに形成された透明導電膜と他の板ガラスに形成された透明導電膜とが、空気層とは反対側のスペーサー面に配される導通材で導通され、該導通材が、導電性テープあるいは断面がＣ字状またはコ字状の金属板でなることを特徴とする電磁遮蔽ガラス。
【請求項２】
導通材が弾性体であることを特徴とする請求項１に記載の電磁遮蔽ガラス。
【請求項３】
サッシへ導通するための導電性テープが、一端を透明導電膜に重ねて接着し、他端をガラス面に接着して、板ガラスのエッジを跨ぐようにして設けてあり、スペーサーの面に配した導通材の端部が該サッシへ導通するための導電性テープの端部に重ねられてなることを特徴とする請求項１または請求項２に記載の電磁遮蔽ガラス。
【発明の詳細な説明】
【技術分野】
【０００１】
本発明は、建物、特にＯＡ化の進んだインテリジェントビルにおいて、使用される複層ガラス構造の電磁遮蔽ガラスに関する。
【背景技術】
【０００２】
近年、商用建物において、ＯＡ機器や通信機器等の電子機器・装置が多量に使用されている。これらの電子機器・装置の多くが発生させる電磁波は、他の電子機器や電子制御機器が誤動作する原因となる。また、ノイズを発生させる原因にもなっている。
【０００３】
さらに、高度情報化に伴い、開口部から侵入する電磁波が、建物内の電子機器を誤動作させることがある。
【０００４】
また、開口部から出ていく電磁波も、外部の電子機器などを誤動作させる原因となる。
【０００５】
このため、多くの建物の建物で、開口部に電磁遮蔽性能を付与するようになった。
【０００６】
開口部に電磁遮蔽機能を付与する方法として、２枚の板ガラスをスペーサーで間隔保持し、周縁端部を封着して２枚の板ガラスの間に密閉された空気層を設ける複層ガラス構造として、透明導電膜を板ガラスの密閉された空気層側に配設したものが知られている（特許文献１）。
【０００７】
さらに、透明導電膜の電磁遮蔽性能を発揮させるためには、板ガラスの間の密閉された空気層側に配置される透明導電膜を窓枠部材などの導電体と電気的に導通させて、接地させる必要があり、特許文献１において、密閉された空気層側に形成されている透明導電膜と窓枠等の導電体との接続に金属箔や金属テープを用いることが、開示されている。
【０００８】
特許文献２には、複層ガラスを構成する２枚のガラスの両方に導電膜が形成され、導電膜と窓枠などの導電体とを接続するため、２枚のガラスのエッジに跨って、透明導電膜に導通を図るために設けた金属箔や金属テープに重ねて、導電被覆材を設けることが記載されている。
【０００９】
【特許文献１】実開平１１−３１２８９２号公報
【特許文献２】実開平９−２０３２７４号公報
【発明の開示】
【発明が解決しようとする課題】
【００１０】
透明導電膜を成膜した板ガラス２枚を用いて複層ガラス構造とする電磁遮蔽ガラスの場合、２枚のガラス板に形成された透明導電膜それぞれを、ガラス面が対向する枠体のサッシ面に導通させる。押縁などを用いる場合、導通を図ることが困難となり、ガラスに形成された透明導電膜の１つが導通出来ないと、十分な窓の電磁遮蔽性能が得られなくなる。
【００１１】
また、透明導電膜に設けた金属箔や金属テープに重ねて複層ガラスの端面に導電被覆材を設けることは、シーリング材を覆うので、シーリング材の乾燥のため作業性が著しく悪いという欠点があった。
【００１２】
本発明は、このような点に鑑みてなされたものであり、電磁遮蔽性能が低下する事のない窓とするための電磁遮蔽ガラスを提供する。
【課題を解決するための手段】
【００１３】
本発明の電磁遮蔽ガラスは、透明導電膜が成膜された２枚の板ガラスを、スペーサーを用いて所定の間隔に対向配置して空気層を形成し、該透明導電膜は空気層側に位置させた複層ガラスでなる電磁遮蔽ガラスにおいて、一枚の板ガラスに形成された透明導電膜と他の板ガラスに形成された透明導電膜とを、空気層とは反対側のスペーサー面に配される導通材で導通され、該導通材が、導電性テープあるいは断面がＣ字状またはコ字状の金属板でなることを特徴とする電磁遮蔽ガラスである。
【００１４】
また、本発明の電磁遮蔽ガラスは、前記電磁遮蔽ガラスにおいて、導通材が弾性体であることを特徴とする電磁遮蔽ガラスである。
【００１５】
また、本発明の電磁遮蔽ガラスは、前記電磁遮蔽ガラスにおいて、サッシへ導通するための導電性テープが、一端を透明導電膜に重ねて接着し、他端をガラス面に接着して、板ガラスのエッジを跨ぐようにして設けられてあり、スペーサーの面に配した導通材の端部が該サッシへ導通するための導電性テープの端部に重ねられてなることを特徴とする電磁遮蔽ガラスである。
【発明の効果】
【００１６】
本発明の電磁遮蔽ガラスは、電磁遮蔽ガラスの片面にのみ導通を図る窓枠において、電磁遮蔽性能を低下させることの無い電磁遮蔽ガラスを提供するものである。
【発明を実施するための最良の形態】
【００１７】
本発明の電磁遮蔽ガラスは、２枚の板ガラスが、スペーサーを用い、対向して所定の間隔に保持され、２枚の板ガラスの間に密閉された空気層が形成される、複層ガラスの構成をしたものである。
【００１８】
２枚の板ガラスは、共に、片面に透明導電膜が形成されており、透明導電膜は、空気層側に配置する。
【００１９】
透明導電膜は、ＡｇとＺｎＯの膜を交互にスパッタリング法などの方法により形成した多層膜、あるいは、ＩＴＯ膜、ＮＥＳＡ膜などの透明導電膜を用いることができる。
【００２０】
図１は、本発明の実施例の要部断面を示すものである。対向する２枚の板ガラス１、１′には、それぞれ透明導電膜２、２′が形成されており、サッシへ導通するための導電性テープ７、７′は、透明導電膜２、２’と枠体等との導通を図るためのものである。導電性テープ７、７′と透明導電膜２、２′との重なり幅ａは、２ｍｍ以上とすることが、電磁遮蔽性能が低下しない導通が得られ、好ましい。
【００２１】
また、導電性テープ７、７′とガラス面との重なり幅ｂを４ｍｍ以上とすることが、水の侵入などによる透明導電膜２、２′の劣化を防ぐために好ましい。なお、前記の幅は、板ガラスのエッジに垂直方向に測る、ガラスエッジと導電性テープエッジとの距離である。
【００２２】
サッシへ導通するための導電性テープ７、７′は、銅、アルミニウム、ステンレス鋼、亜鉛などの金属箔にカーボン、Ｃu、Ｎi、Ａg、などの導電性微粒子を含有しアクリル樹脂などの合成樹脂系の粘着剤が積層されたもの、あるいは前記金属箔に孔を開け粘着剤を積層したもの、さらには金属箔の粘着剤塗布面を凸凹のエンボス状にして導通を得るものなどが、好適に使用することができる。
【００２３】
前記導電性微粒子の粒径は、１μｍ〜５０μｍであることが好ましく、この粒径の範囲から、接着力が１Ｎ〜１５Ｎとなるように導電性微粒子を選ぶことが望ましい。接着力を１Ｎ以上とすることは、サッシへ導通するための導電性テープの接着面から水分の侵入を防ぐことができるので、好ましい。また、接着力を１５Ｎ以下とすることは、接着力が強すぎて、張り直しのできなくなることを防ぐので、好ましい。なお、接着力は、「ＪＩＳ  Ｃ  ２１０７  電気絶縁用粘着テープ試験方法」に規定される試験方法に基づいて測定することが望ましい。
【００２４】
導通材５は、サッシへ導通するための導電性テープ７、７′と同じものを好適に用いることができる。サッシへ導通するための導電性テープ７、７′と同じものを導通材５に用いる場合、図１に示すように、導通材５の端部は、サッシへ導通するための導電性テープ７、７′に重ね、透明性導電膜３と透明性導電膜３′とは導通する状態になる。導通材５と導電性テープ７、７′とは、必ずしも重ねる必要はなく、サッシへ導通するための導電性テープ７、７′と透明性導電膜３、３′との重なる幅を小さくし、導通材５の端部が透明性導電膜３、３′に直接接するようにしてもよい。
【００２５】
導通材５の端部がサッシへ導通するための導電性テープ７、７′と重ねる場合、重なる幅ｃを２〜４ｍｍとすることが、十分な導通状体となるので、好ましい。
【００２６】
図２は、本発明の別の実施形態を示すものである。導通材８に板状の弾性体を用い、該導通材を断面がＣ字状になるように、透明導電膜３と透明導電膜３′との間、あるいは、サッシへ導通するための導電性テープ７とサッシへ導通するための導電性テープ７′との間に挿入し、透明導電膜３と透明導電膜３′とを導通状体にする。弾性体には、燐青銅、ベリリウム鋼等の弾性体金属を好適に用いることができる。また、導通材８に、板状の、シリコーンゴム、イソプレンゴムなどの弾性プラスチックに金属箔を接着したものを用いてもよい。
【００２７】
さらに、導通材８はコ字状にしたものを用いてもよく、コ字状の端部の２辺が、バネ状に外側に広がるものを用いてもよい。
【００２８】
導通材５あるいは導通材８は、電磁遮蔽ガラス１０の全周に設けてもよいが１〜１０ｃｍの長さのものをとびとびに設けてもよい。
【００２９】
図１および図２に示すスペーサー４には、中空のアルミニウム製あるいはプラスチック製のものを、中空に吸湿剤２０を入れて用いることが好ましい。２枚の板ガラス１、１′は、スペーサー４にブチルゴムなどの１次シール材を用いて接着され、さらに、図１のように導通材５を接着するか、あるいは図２のように導通材８を挿入した後、２次シーリング材６で板ガラス１と板ガラス１′の間を封止する。２次シーリング材には、シリコーン系のシーリング材を用いることが望ましい。
【００３０】
なお、電磁遮蔽性能を発揮するためには、サッシへ導通するための導電性テープを通して測定される対辺間の導電性被膜の抵抗が、１００Ω以下であることが望ましい。
【００３１】
図３は、図１に示す電磁遮蔽ガラス１０を窓に装着したところの要部の断面である。サッシへ導通するための導電性テープ７′とサッシ１１との間に導電材１６を挿入して、透明導電膜３、３′を接地する。サッシ１１あるいはサッシ１１の表面に導通性がない場合は、図３に示すようにサッシ１１の表面に、導電性被膜１７を設けることが望ましい。
【００３２】
導電体１６は、金属網、あるいは、金属やカーボンでなる導電性粒子をシーリング材に混入した導電性シール材を用いることができる。金属網には、スズメッキ銅、鉄、アルミニウムなどの金属線を編んでメッシュ構造としたものを用いることが好ましい。
【実施例１】
【００３３】
以下、図面を参照しながら本発明を詳細に説明する。
【００３４】
実施例１
図１に、本実施例の電磁遮蔽ガラス１０の要部断面図を示す。
【００３５】
対向する２枚の板ガラス１、１′には、それぞれ透明導電膜２、２′を形成した。透明導電膜２、２′は、ＡｇとＺｎＯの膜を交互にスパッタリング法で成膜したものであり、面積抵抗値が２０Ω／□となるようにした。
【００３６】
サッシへ導通するための導電性テープ７を、板ガラス１´の端面を跨って、透明導電膜２には接着幅ａ＝２ｍｍで、ガラス面には接着幅ｂ＝４ｍｍで接着させた。同様に、サッシへ導通するための導電性テープ７′を板ガラス１′に接着した。サッシへ導通するための導電性テープ７、７′には、粒径４０μｍの銀粒子をアクリル系の接着剤に混合して作製した粘着剤を、幅１２ｍｍの銅箔テープに積層して用いた。
【００３７】
サッシへ導通するための導電性テープ７、７′を接着した板ガラス１と板ガラス１′とを、乾燥剤（ゼオライト）２０を内蔵したアルミニウムスペーサー４を用いて対向配置し、ブチル系ゴムの１次シーリング材３、３′を用いて一体化し、板ガラス１と板ガラス１′との間に密閉空間の空気層９を形成した。
【００３８】
次いで、透明導電膜２、２′を導通させるために、導通材５をスペーサー４に沿って接着した。導通材５の端部とサッシへ導通するための導電性テープ７、７′との重なり幅は、２ｍｍとした。導通材５には、サッシへ導通するための導電性テープ７、７′と同じものを用いた。
【００３９】
さらにスペーサー４と板ガラス１、１′の周辺部で囲まれる部分を、２次シーリング材６で充填した。２次シーリング材には、シリコーン系のシーリング材を用いた。
【００４０】
相対する辺の間の、サッシへ導通するための導電性テープ７、７′を介して測定される抵抗は、テスターを用いて測定したところ５０Ωであった。
【００４１】
また、本実施例の電磁遮蔽ガラスについて、ＪＩＳ Ｒ ３２０９に規定される耐久性試験を行った結果、露点性能はー７０℃以下で、複層ガラスとしての耐久性を十分に有するものであった。
【００４２】
さらに、対向する２辺の抵抗値を測定し、抵抗値が５０Ωと変化の無いことが確認された。透明導電膜２、２′の外観にも劣化は認められなかった。
【００４３】
また、電磁遮蔽性能をＭＩＬ-ＳＴＤ-２８５法（米国軍用規格）に規定される方法で測定したところ、１ＧＨzの電磁波の遮蔽性能はー３０dＢであった。
【００４４】
実施例２
図２に、本実施例の電磁遮蔽ガラス１０′の要部断面図を示す。
【００４５】
導通材８に、幅１６ｍｍ、長さ１０ｃｍ、厚み１ｍｍのシリコーンゴム板にアルミ箔を接着したものを用いた他は全て実施例１と同様にして、電磁遮蔽ガラス１０′を作製した。シリコーンゴムの板に接着したアルミ箔は、サッシへ導通するための導電性テープ７、７′と幅がおよそ４ｍｍで接触するようにした。
【００４６】
本実施例についても、実施例１と同等の耐候性および電磁遮蔽性能が得られた。
【図面の簡単な説明】
【００４７】
【図１】電磁遮蔽ガラスの要部断面図である。
【図２】電磁遮蔽ガラスの要部断面図である。
【図３】電磁遮蔽ガラスを枠体に嵌めた状態の要部断面図である。
【符号の説明】
【００４８】
１、１′  板ガラス
２、２′  透明導電膜
３、３′  一次シーリング材
４        スペーサー
５      導通材
６      二次シーリング材
７      サッシへ導通するための導電性テープ
８      導通材
９      空気層
１０、１０′    電磁遮蔽ガラス
１１    枠体
１２    セッティングブロック
１３    押縁
１４    バックアップ材
１５    シーリング材
１６    導電体
１７    導電性被膜
２０    乾燥剤
【図１】
2005112680.tif 000003
【図２】
2005112680.tif 000004
【図３】
2005112680.tif 000005